(57)【要約】【目的】便器をはじめとする衛生器を効率よく綺麗に清掃することのできる器具及び方法を提供する。【構成】主軸２の一端に固設される硬質回転盤３と、硬質回転盤を被覆する被覆材４と、硬質回転盤を軸線方向から挟み込む一対のディスク状研磨板５Ａ，５Ｂとを有して成る衛生器清掃具１であり、研磨板５Ａ，５Ｂは合成繊維から成る不織布を基材として被覆材４の外表面に接着される。硬質回転盤３には貫通孔３１が形成され、その貫通孔３１に軟質合成樹脂若しくはゴム状弾性体から成る被覆材４が充填される。係る衛生器清掃具１は、使用に際して主軸２がロータ軸６５をもつ駆動装置６に装着される。そして、ロータ軸６５の回転駆動により、主軸２を通じて研磨板５Ａ，５Ｂを一方向に回転させながら、その研磨板５Ａ，５Ｂを衛生器７の表面に押し付けるのであり、これにより頑固な汚れも容易に落すことができる。【選択図】図１
2006051213.tif 000002
【特許請求の範囲】
【請求項１】
主軸の一端に固設される硬質回転盤と、この硬質回転盤を被覆する被覆材と、前記回転盤を軸線方向から挟み込む一対のディスク状研磨板とを有し、その両研磨板は合成繊維から成る不織布を基材として前記被覆材の外表面に接着されることを特徴とする衛生器清掃具。
【請求項２】
硬質回転盤に貫通孔が形成され、その貫通孔に被覆材が充填されていることを特徴とする請求項１記載の衛生器清掃具。
【請求項３】
被覆材が軟質合成樹脂若しくはゴム状弾性体から成ることを特徴とする請求項１、又は２記載の衛生器清掃具。
【請求項４】
研磨板が合成繊維から成る不織布に砥粒を固着したものであることを特徴とする請求項１記載の衛生器清掃具。
【請求項５】
請求項１、２、又は３に記載した衛生器清掃具の主軸をロータ軸を有する駆動装置に装着し、前記ロータ軸の回転駆動により主軸を通じて研磨板を一方向に回転させながら該研磨板を衛生器の表面に押し付けることを特徴とする衛生器清掃方法。
【発明の詳細な説明】
【技術分野】
【０００１】
本発明は、便器をはじめとする陶磁器製の衛生器を清掃するのに用いられる器具及び方法に係わり、特に衛生器の表面に付着した頑固な汚れも綺麗に清掃することのできる衛生器清掃具及び衛生器清掃方法に関する。
【背景技術】
【０００２】
従来、衛生器として陶磁器製の大便器や小便器などが知られるが、その種の衛生器の表面には長期の使用によって黒ずみの原因である水垢が付着し、便器類では悪臭の原因となる尿石が付着する。
【０００３】
水垢は水道水などに含まれるシリカ質であり、付着直後では比較的容易に除去できるものの、放置された場合には衛生器表面のガラス質と同化して容易に除去することができない。
【０００４】
一方、尿石は尿に含まれるタンパク質が細菌により分解されることで発生する難溶性化合物であり、便器やその周辺の床や壁に付着した尿石は石化して容易に除去することができず、配水管を詰まらせる原因ともなり、更には多孔質であるから細菌の繁殖を促して汚れが蓄積しやすい悪環境を招くという問題がある。
【０００５】
このため、従来では耐水性サンドペーパーや洗浄液を含ませたブラシを用い、水垢や尿石が付着した衛生器を手作業で清掃することが一般に広く行われているが、何れも作業性が悪く、頑固な汚れは時間をかけても綺麗に落せるものではなかった。
【０００６】
そこで、モータ駆動による回転式のブラシを用いて便器を清掃することが提案されている（例えば、特許文献１）。
【０００７】
【特許文献１】実開昭６１−２１３９４号公報
【発明の開示】
【発明が解決しようとする課題】
【０００８】
然しながら、特許文献１ではブラシを高速回転させて作業効率を上げることはできてもブラシを便器表面に強く押し付けることができないので、水垢や尿石といった頑固な汚れを綺麗に除去することは困難である。
【０００９】
又、ブラシを高速回転させる方式では、これに含まれた汚水が遠心力によって周囲に飛散するので、その汚水により便器の周囲や作業者を汚染してしまうという問題がある。
【００１０】
尚、特許文献１の便器洗浄具は便器を被覆するカバー体を備えることから汚水が周囲に飛散することを防止できても、様々な形態の便器に適応するカバー体を各種取り揃えることには経費が嵩み、しかもカバー体を透明にしたとしても外部から洗浄部分を良好に視認することができず、汚れが十分に除去されぬままブラシを移動させてしまう虞があるので水垢や尿石の付着した部分を残さず便器全体を綺麗に清掃することは至極困難である。
【００１１】
本発明は以上のような事情に鑑みて成されたものであり、その目的は便器をはじめとする衛生器を効率よく綺麗に清掃することのできる器具及び方法を提供することにある。
【課題を解決するための手段】
【００１２】
上記目的を達成するため、本発明に係る衛生器清掃具は、主軸の一端に固設される硬質回転盤と、この硬質回転盤を被覆する被覆材と、前記回転盤を軸線方向から挟み込む一対のディスク状研磨板とを有し、その両研磨板は合成繊維から成る不織布を基材として前記被覆材の外表面に接着されることを特徴とする。
【００１３】
又、上記のような衛生器清掃具において、硬質回転盤に貫通孔が形成され、その貫通孔に被覆材が充填されていること、被覆材が軟質合成樹脂若しくはゴム状弾性体から成ること、および研磨板が合成繊維から成る不織布に砥粒を固着したものであることを特徴とする。
【００１４】
更に、本発明の清掃方法は、上記のように構成される衛生器清掃具の主軸をロータ軸を有する駆動装置に装着し、前記ロータ軸の回転駆動により主軸を通じて研磨板を一方向に回転させながら該研磨板を衛生器の表面に押し付けることを特徴とする。
【発明の効果】
【００１５】
本発明に係る衛生器清掃具によれば、一対のディスク状研磨板が硬質回転盤を挟んで対向されることから、便器などの表面に対して研磨板を強力に押し付けることができ、しかも研磨板は合成繊維から成る不織布を基材とするディスク状であるから耐久性が高くブラシに比べて遠心力による汚水の飛散量が少なく、便器などの表面に強く押し付けた場合でもこれを傷つけない。
【００１６】
又、硬質回転盤が被覆材により覆われることから、硬質回転盤に金属を用いた場合でも被覆材に合成樹脂などを適用して研磨板を被覆材に強力に接着せしめて硬質回転盤と一体化することができ、しかも硬質回転盤に貫通孔が形成されることから硬質回転盤に対して被覆材も強固に固着することができる。
【００１７】
加えて、被覆材を軟質合成樹脂若しくはゴム状弾性体としていることから、研磨板を陶磁器製の便器に激突させてしまった場合でも、その衝撃を被覆材により吸収して便器の破損を防止することができる。
【００１８】
更に、研磨板の基材を成す不織布に砥粒が固着されていることから、水垢や尿石といった頑固な汚れも容易に除去することができる。
【００１９】
又、本発明に係る清掃方法は上記のような清掃具を用い、ロータ軸をもつ駆動装置により研磨板を回転させながらこれを便器などの衛生器表面に押し付けることから、衛生器の清掃を効率よく綺麗に行うことができる。
【発明を実施するための最良の形態】
【００２０】
以下、図面に基づいて本発明を詳しく説明する。図１は本発明に係る衛生器清掃具を示した縦断面図である。図１において、１は衛生器清掃具、２は係る衛生器清掃具を構成する主軸であり、該主軸２の一端にはその軸線に直交して硬質回転盤３が固着される。
【００２１】
本例において、主軸２は５０〜１５０ｍｍ程度の長さを有する丸棒とされると共に、硬質回転盤３は直径５０〜１００ｍｍ程度の円盤であり、それらはステンレス鋼などの耐食性に富む金属から製作され、係る主軸２はその一端を硬質回転盤３の中心に溶接などにより固着して硬質回転盤３と一体の心金を構成する。
【００２２】
４は硬質回転盤３を被覆する被覆材であり、この被覆材４を介して上記の硬質回転盤３にディスク状を成す上下一対の研磨板５Ａ，５Ｂが一体的に取り付けられる構成としてある。
【００２３】
被覆材４は硬質回転盤３にコーティングされる合成樹脂、それも軟質ポリ塩化ビニル、軟質ポリエチレン、ＥＶＡ、又はポリブテンなどの軟質合成樹脂から成り、その外表面には樹脂系接着剤を用いて一対の研磨板５Ａ，５Ｂが接着される。尚、以上のような軟質合成樹脂に代えて、被覆材４を加硫ゴムなどのゴム状弾性体としてもよい。
【００２４】
一方、研磨板５Ａ，５Ｂはナイロンなどの合成繊維から成る不織布を基材とする繊維質の柔軟なディスク状構造物であり、その直径は硬質回転盤３よりも稍大きく設定され、基材にはアルミナ、炭化珪素、炭化ホウ素、窒化ホウ素、又は人工ダイヤモンドなどから成る不図示の砥粒が固着されている。
【００２５】
尚、以上のような被覆材４を省略して硬質回転盤３に研磨板５Ａ，５Ｂを直に接着せしめることもできるが、その種の態様では硬質回転盤３と研磨板５Ａ，５Ｂとを強力に結合することが難しく、使用に際して異常音を発生するなどの問題がある。
【００２６】
下表１は被覆材を省略した清掃具の試験結果、下表２は被覆材をもつ清掃具の試験結果を示す。ここに、試験は両清掃具をマシニングセンタの主軸頭に装着し、１３００ｒｐｍにて回転させ、テーブル上に設置した便器サンプルとの接触具合を軸方向に変化させながら両清掃具の状況を観察した。
【００２７】
【表１】
2006051213.tif 000003
【００２８】
【表２】
2006051213.tif 000004
【００２９】
表１から明らかなように、硬質回転盤（本試験においてステンレス鋼）に研磨板を直付けしたものでは、試験開始２０分後に研磨板を７ｍｍ降下させた時点で振動及び音が発生し始め、試験開始３０分後に研磨板の降下変位量を７．２ｍｍにした時点では振動と音の発生が継続したまま研磨板が硬質回転盤から分離し始めて研磨板の回転数が低下した。そして、試験開始３５分後には研磨板が硬質回転盤から完全に分離して回転が停止したため試験を終了した。
【００３０】
一方、表２のように硬質回転盤を被覆材（本試験において軟質合成樹脂）により被覆したものでは試験開始から２時間以上経過しても異常は全くみられなかった。
【００３１】
次に、図２は主軸と硬質回転盤から構成される心金の斜視図、図３はその心金を含んで構成される衛生器清掃具の斜視分解図である。
【００３２】
図２及び図３から明らかなように、硬質回転盤３には板厚方向に貫通する複数の貫通孔３１が形成される。係る貫通孔３１は硬質回転盤３に対する被覆材４の結合力を高めるためのもので、その各貫通孔３１には被覆材４を成す軟質合成樹脂若しくはゴム状弾性体が充填され、これによって硬質回転盤３の両面側における被覆材４が貫通孔３１を通じて一体化されるようにしてある。尚、図示例では貫通孔３１を２０個としてあるが、係る貫通孔３０は少なくとも一つ、好ましくは硬質回転盤３の中心を挟む２箇所に穿設すれば足りる。
【００３３】
一方、図３のように一対の研磨板５Ａ，５Ｂは、硬質回転盤３をその軸線方向（主軸方向）から挟み込むようにして対向状態に組み付けられるのであり、このため一方の研磨板５Ｂの中心には主軸２を通す透孔５１が穿設される。
【００３４】
次に、図４は以上のように構成される衛生器清掃具１を回転させる駆動装置の一例を示す。本例において、係る駆動装置６には、電動機を内蔵する電動ドリルの本体が用いられる。図４において、６１はコンセントに差し込むプラグ、６２はプラグにより取り出された電力を内部の電動機に導く電線、６３，６４は把持部であり、把持部６３には駆動装置６の先端部に設けられるロータ軸６５を回転駆動させるための図示せぬ操作スイッチが取り付けられる。
【００３５】
図５のように、駆動装置のロータ軸６５はその軸端にチャック６６を有し、該チャック６６により衛生器清掃具の主軸２が保持されるようになっている。
【００３６】
下表３、４は以上のような駆動装置６に本願清掃具１（樹脂あり不織布研磨剤パッド）を装着して無負荷での回転と負荷７０Ｎでの回転時における把持部６３（弓形ハンドル）と把持部６４（ノブハンドル）に作用する直交３軸方向（Ｘ軸、Ｙ軸，Ｚ軸）の振動を加速度センサを用いて測定した結果を示す。
【００３７】
尚、本試験では被覆材４と成す樹脂としてＥＶＡを用いた。又、比較例として、被覆材４を省略したもの（樹脂なし不織布研磨剤パッド）についても同様の試験を行った。
【００３８】
【表３】
2006051213.tif 000005
【００３９】
【表４】
2006051213.tif 000006
【００４０】
表３及び表４から明らかなように、本願清掃具（樹脂あり不織布研磨剤パッド）は比較品（樹脂なし不織布研磨剤パッド）に比べ、振動の発生が抑制されることが判る。特に、実際の使用態様に相当する負荷７０Ｎでの回転時では振動抑制効果が極めて高くなることが認められる。このことは、騒音を発生せず、作業者にとっても腕への振動の伝わりを小さくして作業を容易に行えることを意味する。
【００４１】
ここで、以上のような衛生器清掃具１を用いて衛生器の清掃を行うには、先ず駆動装置６のチャック６６に主軸２を差し込み、これを駆動装置のロータ軸６５に一体的に結合する。而して、プラグ６１をコンセントに差し込み、把持部６３，６４を握ってその状態のまま図示せぬ操作スイッチを押圧する。
【００４２】
すると、ロータ軸６５に結合された主軸２を通じて研磨板５Ａ，５Ｂが図６のように一方向に回転するので、係る研磨板５Ａ，５Ｂを回転させた状態のままこれを衛生器７（図６において小便器）の表面に押し付ける。
【００４３】
これにより、衛生器７の表面に付着した水垢や尿石といった頑固な汚れも素早く削ぎ落されるので、これを視認しながら研磨板５Ａ，５Ｂの押し当て位置を順次移動させることにより、衛生器７の表面やその周囲を短時間で綺麗にすることができる。
【００４４】
尚、本発明によれば研磨板５Ａ，５Ｂは回転させながら衛生器７の表面に押し当てるだけで頑固な汚れを物理的に除去することができるものの、好ましくは市販の洗浄液を併用し、これを研磨板５Ａ，５Ｂに含ませるか又は便器に塗布することが望ましく、これによって清掃作業の効率化を更に向上させることができる。
【００４５】
以上、本発明について説明したが、本発明は小便器に限らず、和式や洋式の便器ほか、その周囲の床タイル、壁タイル、又は陶磁器製洗面器、樹脂製、ステンレス製、グラスファイバー製の便器・洗面器の清掃にも好適に用いることができる。
【００４６】
又、衛生器清掃具１を回転させる駆動装置としては、可搬式電動ドリルの本体に限らず、電気や空気圧によって回転駆動するロータ軸をもつ種々の公知装置を流用することができる。
【図面の簡単な説明】
【００４７】
【図１】本発明に係る衛生器清掃具の縦断面図
【図２】主軸と硬質回転盤で構成される心金の斜視図
【図３】本発明に係る衛生器清掃具の斜視分解図
【図４】本発明に係る衛生器清掃具を駆動装置に装着した状態を示す斜視図
【図５】同清掃具の装着部分を示す側面図
【図６】同清掃具の使用状態を示す説明図
【符号の説明】
【００４８】
１  衛生器清掃具
２  主軸
３  硬質回転盤
３１  貫通孔
４  被覆材
５Ａ，５Ｂ  研磨板
６  駆動装置
６５  ロータ軸
７  衛生器（小便器）
【図１】
2006051213.tif 000007
【図２】
2006051213.tif 000008
【図３】
2006051213.tif 000009
【図４】
2006051213.tif 000010
【図５】
2006051213.tif 000011
【図６】
2006051213.tif 000012